【手続補正書】
【提出日】平成16年6月22日(2004.6.22)
【手続補正１】
【補正対象書類名】特許請求の範囲
【補正対象項目名】全文
【補正方法】変更
【補正の内容】
【特許請求の範囲】
【請求項１】
メディアプレーヤー上でメディアアイテムを再生する方法であって、前記メディアプレーヤーは記憶ディスクおよびキャッシュメモリを持ち、前記方法は
（ａ）特定のメディアアイテムが前記メディアプレーヤー上で再生されるべきであるとの指示を受け取ることであって、前記特定のメディアアイテムは前記メディアプレーヤーの前記記憶ディスク上に記憶された複数のメディアアイテムのうちの１つである、指示を受け取ること、
（ｂ）前記メディアプレーヤー上で前記特定のメディアアイテムを再生することであって、前記再生すること（ｂ）は少なくとも
（ｂ１）前記特定のメディアアイテムの初期メディアデータ部分を前記記憶ディスクから取り出すこと、
（ｂ２）前記初期メディアデータ部分を用いて前記特定のメディアアイテムの初期部分を再生すること、
（ｂ３）前記取り出すこと（ｂ１）および前記再生すること（ｂ２）のうちの少なくとも１つと同時に、少なくとも前記特定のメディアアイテムのうちの残りのメディアデータ部分を前記記憶ディスクから前記キャッシュメモリにロードすること、および
（ｂ４）その後、前記特定のメディアアイテムの前記残りのメディアデータ部分をキャッシュメモリから再生すること
を含む、再生すること、
の操作を含む方法。
【請求項２】
請求項１に記載の方法であって、前記メディアプレーヤーは携帯メディアプレーヤーである方法。
【請求項３】
請求項１に記載の方法であって、前記メディアプレーヤーはポケットサイズのデバイスである方法。
【請求項４】
請求項１に記載の方法であって、前記メディアプレーヤーはＭＰ３プレーヤーであり、前記メディアアイテムは曲のオーディオファイルである方法。
【請求項５】
請求項１に記載の方法であって、前記メディアプレーヤーの前記記憶ディスクは複数のメディアアイテムを記憶し、前記メディアプレーヤーはオーディオプレーヤーを備え、前記メディアアイテムは少なくとも曲のオーディオファイルを含む方法。
【請求項６】
請求項１に記載の方法であって、前記メディアプレーヤーの前記記憶ディスクは複数のメディアアイテムを記憶し、前記メディアプレーヤーはビデオプレーヤーを備え、前記メディアアイテムは少なくともビデオのビデオファイルを含む方法。
【請求項７】
請求項１に記載の方法であって、前記メディアプレーヤーの前記記憶ディスクは複数のメディアアイテムを記憶し、前記メディアプレーヤーはイメージビューワーを備え、前記メディアアイテムは少なくとも画像の画像ファイルを含む方法。
【請求項８】
請求項１に記載の方法であって、前記ロードすること（ｂ３）に続いて、前記記憶ディスクは次に必要となるまでのあいだ電力節約状態に設定される方法。
【請求項９】
メディアプレーヤーによって再生されるべきメディアデータを取り出す方法であって、前記メディアプレーヤーは記憶ディスクおよびキャッシュメモリを有し、前記方法は、
（ａ）前記メディアプレーヤー上で再生されるべきメディアアイテムを特定すること、
（ｂ）前記メディアアイテムについてのメディアデータが前記キャッシュメモリ内に記憶されているかを判断すること、
（ｃ）前記判断（ｂ）が、前記メディアアイテムについての前記メディアデータが前記キャッシュメモリ内に記憶されていないと判断するとき、前記メディアアイテムについての前記メディアデータの一部を前記記憶ディスクから取り出すこと、
（ｄ）前記判断（ｂ）が、前記メディアアイテムについての前記メディアデータが前記キャッシュメモリ内に記憶されていると判断するとき、前記メディアアイテムについての前記メディアデータの一部を前記キャッシュメモリから取り出すこと、および
（ｅ）前記判断（ｂ）および前記取り出し（ｃ）または（ｄ）を前記メディアアイテムについての前記メディアデータのそれぞれの後続の部分について繰り返すこと
を含む方法。
【請求項１０】
請求項９に記載の方法であって、
（ｆ）前記判断（ｂ）が、前記メディアアイテムについての前記メディアデータが前記キャッシュメモリ内に記憶されていないと判断するとき、少なくとも前記取り出し（ｃ）と同時に、前記メディアアイテムについての前記メディアデータを前記記憶ディスクから前記キャッシュメモリにロードすることを開始すること
をさらに含む方法。
【請求項１１】
請求項１０に記載の方法であって、
（ｇ）前記ロード（ｆ）に続いて、前記記憶ディスクを非アクティブにすること
をさらに含む方法。
【請求項１２】
請求項１０に記載の方法であって、
（ｇ）前記ロード（ｆ）に続いて、前記記憶ディスクを電力節約モードに設定すること
をさらに含む方法。
【請求項１３】
請求項９に記載の方法であって、前記ロード（ｆ）に続いて、前記記憶ディスクは次に必要とされるまで電力節約状態に設定される方法。
【請求項１４】
請求項９に記載の方法であって、前記メディアデータの前記部分は、所定のサイズを持つデータのブロックである方法。
【請求項１５】
請求項１４に記載の方法であって、前記データのブロックについての所定のサイズは、前記メディアアイテムについての前記メディアデータの全体と比べて適度に小さい方法。
【請求項１６】
請求項１４に記載の方法であって、前記データのブロックについての所定のサイズは、３２〜２５６キロバイトである方法。
【請求項１７】
請求項９に記載の方法であって、前記メディアプレーヤーは携帯メディアプレーヤーである方法。
【請求項１８】
請求項９に記載の方法であって、前記メディアプレーヤーはポケットサイズのデバイスである方法。
【請求項１９】
請求項９に記載の方法であって、前記メディアプレーヤーはＭＰ３プレーヤーであり、前記メディアアイテムは曲である方法。
【請求項２０】
請求項９に記載の方法であって、前記メディアプレーヤーの前記記憶ディスクは複数のメディアアイテムを記憶し、前記メディアプレーヤーはオーディオプレーヤーを備え、前記メディアアイテムは少なくとも曲のオーディオファイルを含む方法。
【請求項２１】
請求項９に記載の方法であって、前記メディアプレーヤーの前記記憶ディスクは複数のメディアアイテムを記憶し、前記メディアプレーヤーはビデオプレーヤーを備え、前記メディアアイテムは少なくともビデオのビデオファイルを含む方法。
【請求項２２】
請求項９に記載の方法であって、前記メディアプレーヤーの前記記憶ディスクは複数のメディアアイテムを記憶し、前記メディアプレーヤーはイメージビューワーを備え、前記メディアアイテムは少なくとも画像の画像ファイルを含む方法。
【請求項２３】
メディアプレーヤーによって再生されるべきメディアデータを取り出す方法であって、前記メディアプレーヤーは記憶ディスクおよびキャッシュメモリを有し、前記方法は、
（ａ）前記メディアプレーヤー上で再生されるべきメディアアイテムを特定すること、
（ｂ）前記メディアアイテムについてのメディアデータが前記キャッシュメモリ内に記憶されているかを判断すること、
（ｃ）前記判断（ｂ）が、前記メディアアイテムについての前記メディアデータが前記キャッシュメモリ内に記憶されていないと判断するとき、前記メディアアイテムについての前記メディアデータの一部を前記記憶ディスクから取り出すこと、および
（ｄ）前記メディアデータのうちの少なくとも残りの部分を前記記憶ディスクから前記キャッシュメモリにロードする処理を開始すること
を含む方法。
【請求項２４】
請求項２３に記載の方法であって、前記開始（ｄ）は、前記取り出し（ｃ）と実質的に同時に実行される方法。
【請求項２５】
請求項２３に記載の方法であって、
（ｅ）その後、前記メディアデータの前記残りの部分を前記キャッシュメモリから取り出すこと
をさらに含む方法。
【請求項２６】
請求項２３に記載の方法であって、
（ｅ）前記初期部分を超えた追加メディアデータが必要となる時を判断すること、および
（ｆ）前記判断（ｅ）が、前記追加メディアデータが必要とされると判断するとき、前記メディアデータの前記残りの部分のうちの少なくとも１つを前記キャッシュメモリから取り出すこと
をさらに含む方法。
【請求項２７】
請求項２３に記載の方法であって、前記開始処理（ｄ）は、前記残りの部分を前記記憶ディスクから前記キャッシュメモリに部分ごとにロードするよう機能する方法。
【請求項２８】
請求項２３に記載の方法であって、
（ｅ）前記メディアデータの前記残りの部分の全てが前記キャッシュメモリの中にロードされた後に前記記憶ディスクを非アクティブにすること
をさらに含む方法。
【請求項２９】
請求項２３に記載の方法であって、前記メディアプレーヤーはポケットサイズのデバイスである方法。
【請求項３０】
請求項２３に記載の方法であって、
前記メディアプレーヤーの前記記憶ディスクは複数のメディアアイテムを記憶し、
前記メディアプレーヤーは、オーディオプレーヤー、ビデオプレーヤーおよびイメージビューワーのうちの少なくとも１つを備え、
前記メディアアイテムは、曲のオーディオファイル、ビデオのビデオファイルおよび画像の画像ファイルのうちの少なくとも１つを含む
方法。
【請求項３１】
家庭電子製品であって、
複数のメディアアイテムを記憶する記憶ディスク、
前記家庭電子製品のユーザが前記複数のメディアアイテムから特定のメディアアイテムを選択することを少なくとも可能にするユーザ入力デバイス、
前記メディアアイテムの少なくとも１つを記憶できるキャッシュメモリ、および
前記記憶ディスク、前記ユーザ入力デバイスおよび前記キャッシュメモリに動作可能に接続されたプロセッサであって、前記特定のメディアアイテムについてのメディアデータが前記キャッシュメモリ内、または前記記憶ディスク上のいずれにあるかにかかわらず、前記プロセッサは、前記ユーザによる前記特定のメディアアイテムの前記選択に続いて実質的に即時に前記特定のメディアアイテムを前記家庭電子製品が再生するよう機能する、プロセッサ
を備える家庭電子製品。
【請求項３２】
請求項３１に記載の家庭電子製品であって、前記特定のメディアアイテムについての前記メディアデータが前記キャッシュメモリ内に初めに記憶されていないとき、前記プロセッサは、前記メディアデータの第１部分を前記記憶ディスクから取り出すと同時に一方で、前記特定のメディアアイテムについての前記メディアデータを前記記憶ディスクから前記キャッシュメモリにバックグラウンドでロードすることを実質的に同時に開始する家庭電子製品。
【請求項３３】
請求項３２に記載の家庭電子製品であって、前記メディアデータの前記記憶ディスクから前記キャッシュメモリへの前記ロードの少なくとも一部は、前記メディアデータの前記第１部分の再生と同時に実行される家庭電子製品。
【請求項３４】
請求項３２に記載の家庭電子製品であって、いったん前記特定のメディアアイテムについての前記メディアデータが前記キャッシュメモリ内で入手可能になると、前記プロセッサは前記特定のメディアアイテムについての前記メディアデータの後続の部分を前記キャッシュメモリから取り出す家庭電子製品。
【請求項３５】
請求項３１に記載の家庭電子製品であって、前記家庭電子製品は、
前記プロセッサに動作可能に接続された表示スクリーンであって、前記メディアアイテムのリストを表示する表示スクリーン
をさらに備える家庭電子製品。
【請求項３６】
請求項３１に記載の家庭電子製品であって、前記家庭電子製品は携帯の電池駆動のメディアプレーヤーである家庭電子製品。
【請求項３７】
請求項３６に記載の家庭電子製品であって、前記メディアプレーヤーはＭＰ３プレーヤーであって、前記メディアアイテムは曲である家庭電子製品。
【請求項３８】
請求項３１に記載の家庭電子製品であって、前記メディアプレーヤーの前記記憶ディスクは複数のメディアアイテムを記憶し、前記メディアプレーヤーはオーディオプレーヤーを備え、前記メディアアイテムは少なくとも曲のオーディオファイルを含む方法。
【請求項３９】
請求項３８に記載の家庭電子製品であって、前記メディアプレーヤーは携帯メディアプレーヤーである家庭電子製品。
【請求項４０】
請求項３１に記載の家庭電子製品であって、前記メディアプレーヤーの前記記憶ディスクは複数のメディアアイテムを記憶し、前記メディアプレーヤーはビデオプレーヤーを備え、前記メディアアイテムは少なくともビデオのビデオファイルを含む方法。
【請求項４１】
請求項４０に記載の家庭電子製品であって、前記メディアプレーヤーは携帯メディアプレーヤーである家庭電子製品。
【請求項４２】
請求項４１に記載の家庭電子製品であって、前記メディアプレーヤーの前記記憶ディスクは複数のメディアアイテムを記憶し、前記メディアプレーヤーはイメージビューワーを備え、前記メディアアイテムは少なくとも画像の画像ファイルを含む方法。
【請求項４３】
請求項４２に記載の家庭電子製品であって、前記メディアプレーヤーは携帯メディアプレーヤーである家庭電子製品。
【請求項４４】
メディアプレーヤーによって再生されるべきメディアデータを取り出すコンピュータプログラムコードを少なくとも含むコンピュータで読み取り可能な媒体であって、前記メディアプレーヤーはディスクベースのデータ記憶および半導体ベースのデータ記憶を有し、前記コンピュータで読み取り可能な媒体は、
（ａ）前記メディアプレーヤー上で再生されるべきメディアアイテムを特定するコンピュータプログラムコード、
（ｂ）前記メディアアイテムについてのメディアデータの第１部分を前記ディスクベースのデータ記憶から取り出すコンピュータプログラムコード、および
（ｃ）前記メディアデータのうちの少なくとも残りの部分を前記ディスクベースのデータ記憶から前記半導体ベースのデータ記憶にロードする処理を開始するコンピュータプログラムコード
を含むコンピュータで読み取り可能な媒体。
【請求項４５】
請求項４４に記載のコンピュータで読み取り可能な媒体であって、前記開始するコンピュータプログラムコードは、前記取り出すコンピュータプログラムコードと実質的に同時に実行されるコンピュータで読み取り可能な媒体。
【請求項４６】
請求項４４に記載のコンピュータで読み取り可能な媒体であって、
その後、前記メディアデータの残りの部分を前記半導体ベースのデータ記憶から取り出すコンピュータプログラムコード
をさらに備えるコンピュータで読み取り可能な媒体。
【請求項４７】
請求項４４に記載のコンピュータで読み取り可能な媒体であって、
前記初期部分を超えた追加メディアデータが必要となる時を判断するコンピュータプログラムコード、および
前記判断するコンピュータプログラムコードが、前記追加メディアデータが必要とされると判断するとき、前記メディアデータの前記残りの部分のうちの少なくとも１つを前記キャッシュメモリから取り出すコンピュータプログラムコード
をさらに備えるコンピュータで読み取り可能な媒体。
【請求項４８】
請求項４４に記載のコンピュータで読み取り可能な媒体であって、前記処理を開始するコンピュータプログラムコードは、前記残りの部分を前記記憶ディスクから前記キャッシュメモリに部分ごとにロードするよう機能するコンピュータで読み取り可能な媒体。
【請求項４９】
請求項４４に記載のコンピュータで読み取り可能な媒体であって、
前記メディアデータの前記残りの部分の全てが前記半導体ベースのデータ記憶の中にロードされた後に前記ディスクベースのデータ記憶を非アクティブにするコンピュータプログラムコード
をさらに備えるコンピュータで読み取り可能な媒体。
【請求項５０】
請求項４４に記載のコンピュータで読み取り可能な媒体であって、前記メディアプレーヤーはポケットサイズのデバイスであるコンピュータで読み取り可能な媒体。
【請求項５１】
請求項４４に記載のコンピュータで読み取り可能な媒体であって、
前記メディアプレーヤーの前記ディスクベースのデータ記憶は複数のメディアアイテムを記憶し、
前記メディアプレーヤーは、オーディオプレーヤー、ビデオプレーヤーおよびイメージビューワーのうちの少なくとも１つを備え、
前記メディアアイテムは、曲のオーディオファイル、ビデオのビデオファイルおよび画像の画像ファイルのうちの少なくとも１つを含む
コンピュータで読み取り可能な媒体。